(57)【要約】【課題】  装着性に優れて巻きずれが発生しにくい血圧計を提供する。【解決手段】  動脈が存在する生体部位を被測定部位Ｍとして、この被測定部位Ｍに沿うよう湾曲状に形成された一対のアーム２Ａ，２Ｂが設けられ、この一対のアーム２Ａ，２Ｂは、基端側が回動部２ａ，２ｂで回動自在に連結されて開閉できるようになっており、この一対のアーム２Ａ，２Ｂの内面に被測定部位Ｍを圧迫可能な圧迫手段４が設けられ、この圧迫手段４を介して被測定部位Ｍの振動情報を検出する検出手段５が設けられている血圧計１Ａ〜１Ｇにおいて、上記回動部２ａ，２ｂに、一対のアーム２Ａ，２Ｂを閉じ方向に回動させるときに、開き方向の回動を防止する逆回動防止手段７（１１，１２）が設けられている。【選択図】  図１
2005040498.tif 000002
【特許請求の範囲】
【請求項１】
動脈が存在する生体部位を被測定部位として、この被測定部位に沿うよう湾曲状に形成された一対のアームが設けられ、この一対のアームは、基端側が回動部で回動自在に連結されて開閉できるようになっており、この一対のアームの内面に被測定部位を圧迫可能な圧迫手段が設けられ、この圧迫手段を介して被測定部位の振動情報を検出する検出手段が設けられている血圧計において、
上記回動部に、一対のアームを閉じ方向に回動させるときに、開き方向の回動を防止する逆回動防止手段が設けられていることを特徴とする血圧計。
【請求項２】
上記回動部の逆回動防止手段は、ワンウェイクラッチ機能を有するラチェット機構である請求項１記載の血圧計。
【請求項３】
上記回動部に、一対のアームを開き方向に付勢する回動付勢手段が設けられている請求項１記載の血圧計。
【請求項４】
上記圧迫手段は、被測定部位が手首である場合、この手首の腱の左右位置にある動脈のいずれか一方側の手首部分の略半周を覆うように設定されている請求項１記載の血圧計。
【請求項５】
上記回動部の被測定部位側に、圧迫手段を被測定部位方向に押し出す手段が設けられている請求項１記載の血圧計。
【請求項６】
上記一対のアームが所定の回動割合になったときに、血圧の測定を開始するように設定されている請求項１記載の血圧計。
【請求項７】
上記一対のアームの内面に、閉じ方向の回動割合を測定する測定手段が設けられ、上記圧迫手段に予め所定量の空気が入れられた状態で一対のアームが閉じ方向に回動されて、被測定部位に密着した圧迫手段の内圧が所定圧に達したことが測定手段で検出されたときに、血圧の測定を開始するように設定されている請求項６記載の血圧計。
【発明の詳細な説明】
【技術分野】
【０００１】
本発明は、装着性に優れて巻きずれが発生しにくい血圧計に関する。
【背景技術】
【０００２】
従来、血圧計としては、血圧計本体に一対の湾曲状カバー体がヒンジで取付けられ、この本体と湾曲状カバー体の内面に空気袋（圧迫手段）が配設されて、一方のカバー体に一端が止着された固定用帯体の他端を他方にカバー体に面ファスナー等で着脱可能に係止するものがある（例えば、特許文献１参照）。
【０００３】
また、カフ帯本体にクリップ板がヒンジで取付けられるとともに、カフ帯本体をリング部に挿通させて折り返して面ファスナー等で着脱可能に係止するものがある（例えば、特許文献２参照）。
【０００４】
さらに、弾性湾曲板の内面に空気袋が配設されて、締付操作具をロック手段に着脱可能に係合するものがある（例えば、特許文献３参照）。
【特許文献１】特開平７−１２４１２７号公報
【特許文献２】特開平６−１０５８１３号公報
【特許文献３】特開平５−２００００２号公報
【発明の開示】
【発明が解決しようとする課題】
【０００５】
しかしながら、各特許文献の血圧計では、カフ帯等を巻付け若しくはカフ帯等に挿入する操作と、カフ帯等を締付ける操作とを別個に行わなければならないから、使用者にとって装着のための操作が煩わしいという問題があった。
【０００６】
また、締付け操作中にカフ帯等が回転して測定位置がずれる、いわゆる巻きずれが発生して検出精度が悪くなるという問題があった。
【０００７】
本発明は、上記問題を解消するためになされたもので、装着性に優れて巻きずれが発生しにくい血圧計を提供することを課題とするものである。
【課題を解決するための手段】
【０００８】
上記課題を解決するために、本発明は、動脈が存在する生体部位を被測定部位として、この被測定部位に沿うよう湾曲状に形成された一対のアームが設けられ、この一対のアームは、基端側が回動部で回動自在に連結されて開閉できるようになっており、この一対のアームの内面に被測定部位を圧迫可能な圧迫手段が設けられ、この圧迫手段を介して被測定部位の振動情報を検出する検出手段が設けられている血圧計において、
上記回動部に、一対のアームを閉じ方向に回動させるときに、開き方向の回動を防止する逆回動防止手段が設けられていることを特徴とする血圧計を提供するものである。
【０００９】
請求項２のように、上記回動部の逆回動防止手段は、ワンウェイクラッチ機能を有するラチェット機構である構成とすることが好ましい。
【００１０】
請求項３のように、上記回動部に、一対のアームを開き方向に付勢する回動付勢手段が設けられている構成とすることが好ましい。
【００１１】
請求項４のように、上記圧迫手段は、被測定部位が手首である場合、この手首の腱の左右位置にある動脈のいずれか一方側の手首部分の略半周を覆うように設定されている構成とすることが好ましい。
【００１２】
請求項５のように、上記回動部の被測定部位側に、圧迫手段を被測定部位方向に押し出す手段が設けられている構成とすることが好ましい。
【００１３】
請求項６のように、上記一対のアームが所定の回動割合になったときに、血圧の測定を開始するように設定されている構成とすることが好ましい。
【００１４】
請求項７のように、上記一対のアームの内面に、閉じ方向の回動割合を測定する測定手段が設けられ、上記圧迫手段に予め所定量の空気が入れられた状態で一対のアームが閉じ方向に回動されて、被測定部位に密着した圧迫手段の内圧が所定圧に達したことが測定手段で検出されたときに、血圧の測定を開始するように設定されている構成とすることが好ましい。
【発明の効果】
【００１５】
本発明によれば、一対のアームの回動部に開き方向の回動を防止する逆回動防止手段を設けたから、開いた一対のアームに被測定部位を入れた後に、この一対のアームを閉じ操作するだけで、従来のような巻きづれが生じることなく、被測定部位に簡単かつ正確に装着できるようになる。また、一対のアームを閉じ方向に回動させるだけであるから、ワンタッチで装着できるので、装着性が向上するようになる。
【００１６】
請求項２によれば、逆回動防止手段をワンウェイクラッチ機能を有するラチェット機構で構成したから、簡単かつ安価な機構で確実に逆回動を防止できる。
【００１７】
請求項３によれば、回動付勢手段を設けたから、一対のアームを閉じ方向に回動させてワンタッチで装着して、測定が終了した後に、逆回動防止手段を開放すれば、一対のアームを回動付勢手段の付勢力で自動的に開き回動させることができるので、脱着性も向上するようになる。
【００１８】
請求項４によれば、圧迫手段を手首部分の略半周を覆うように設定したから、手首の腱の左右位置にある主要な２つの動脈のうち、腱を避けて一方の動脈のみを確実に捉えることができるため、振動情報の検出精度が向上するようになる。
【００１９】
請求項５によれば、回動部の被測定部位側に圧迫手段の押し出し手段を設けたから、押し出し手段が回動部の内側と被測定部位との間の隙間を埋めて、圧迫手段を被測定部位方向に押し出すために、被測定部位の振動情報をより正確に捉えることができるため、振動情報の検出精度がより向上するようになる。
【００２０】
請求項６によれば、一対のアームが所定の回動割合になったときに血圧の測定を開始するから、一対のアームの装着状態を一定に維持できるので、装着のばらつきが抑制されて、振動情報の検出精度が向上するようになる。また、使用者は、開始スイッチ等を押して測定を開始するのではなく、一対のアームを装着するだけで測定を開始できるので便利になる。
【００２１】
請求項７によれば、予め所定量の空気を入れた圧迫手段の内圧が所定圧に達したことを測定手段で検出したときが測定に適した装着状態と判断して、血圧の測定を開始するから、適正な装着状態を確実に捉えることができるようになる。また、新たな装置を追加する必要が無いので、安価である。
【発明を実施するための最良の形態】
【００２２】
以下、本発明を実施するための最良の形態について、図面を参照しながら詳細に説明する。
【実施例１】
【００２３】
図１（ａ）は実施例１の血圧計１Ａの側面図、図１（ｂ）は（ａ）の平面図である。
【００２４】
湾曲状に形成された上下一対のアーム２Ａ，２Ｂが設けられて、下アーム部２Ｂの基端側の左右両端位置に、側面視で円形状の回動部２ｂが形成されるとともに、上アーム部２Ａの基端側の左右位置で、かつ下アーム部２Ｂの回動部２ｂの内側位置に、側面視で円形状の回動部２ａが形成されて、各回動部２ａ，２ｂの中心に回動軸３が挿通されて連結されることにより、一対のアーム２Ａ，２Ｂが開き位置Ｏ（二点鎖線参照）と閉じ位置Ｃ（実線参照）との間で自在に開閉できるようになっている。
【００２５】
この一対のアーム２Ａ，２Ｂの内面には、開閉に支障が無いような横向きＵ字状の空気袋（圧迫手段）４が取付けられるとともに、上アーム部２Ａの外面（上面）には、表示部５ａやスイッチ５ｂ、制御回路、ポンプ、電磁弁、圧力センサー、電池等が格納されて、被測定部位の振動情報を検出する血圧計本体（検出手段）５が取付けられ、この血圧計本体５と上記空気袋４とは空気を給排するための連通管６で接続されている。
【００２６】
上記下アーム部２Ｂの外面（下面）には、ブラケット部２ｃが設けられ、このブラケット部２ｃに、摩擦力のあるゴム等で形成された逆回動防止レバー（逆回動防止手段）７がピン８で取付けられて、この逆回動防止レバー７は、尖った先端部７ａが上アーム部２Ａの回動部２ａと下アーム部２Ｂとの間に形成した隙間２ｄに挿入されるようになっている。
【００２７】
実施例１の血圧計１Ａを使用する際には、先ず、逆回動防止レバー７の先端部７ａを二点鎖線で示すように指等で撓ませて隙間２ｄから外した状態で、上アーム部２Ａを開き操作する。
【００２８】
そして、逆回動防止レバー７の先端部７ａから指等を離した後、開いた一対のアーム２Ａ，２Ｂの間に手首等（被測定部位）を入れて、上アーム部２Ａを閉じ操作して行く。このとき、隙間２ｄに挿入された逆回動防止レバー７の先端部７ａは、上アーム部２Ａの閉じ操作方向の回動部２ａに対して逃げ勝手になるから、上アーム部２Ａの閉じ操作に支障は生じ無い。
【００２９】
この上アーム部２Ａは、下アーム部２Ｂとの間に手首等が適度な圧力で挟み込まれるようになるまで閉じ操作をする。
【００３０】
この閉じ操作をやめて、手首等を動かしたとしても、隙間２ｄに挿入された逆回動防止レバー７の先端部７ａは、上アーム部２Ａの開き操作方向の回動部２ａに対して食い込み勝手になるから、上アーム部２Ａが開き方向に回動しなくなる。つまり上アーム部２Ａの開き方向の回動が防止される（逆回動防止）。
【００３１】
また、空気袋４に空気が供給されて手首等が圧迫される測定中に、この圧迫力で上アーム部２Ａが開き方向に回動されようとするが、同様に、逆回動防止レバー７によって上アーム部２Ａの開き方向の回動が防止される。
【００３２】
そして、測定終了後に逆回動防止レバー７の先端部７ａを二点鎖線で示すように指等で撓ませて隙間２ｄから外せば、上アーム部２Ａを開き操作できるから、開いた一対のアーム２Ａ，２Ｂの間から手首等を抜き出すことができる。
【００３３】
このように、上アーム部２Ａを閉じ操作するだけで、従来のような巻きづれが生じることなく、手首等に血圧計１Ａを簡単かつ正確に装着できるようになる。また、上アーム部２Ａを閉じ方向に回動させるだけであるから、ワンタッチで装着できるので、装着性が向上するようになる。
【００３４】
なお、上記説明では、上アーム部２Ａのみを回動操作したが、上アーム部２Ａと下アーム部２Ｂとを同時に回動操作しても良く、下アーム部２Ｂのみを回動操作しても良い。以下の各実施例でも同様である。
【実施例２】
【００３５】
図２（ａ）は実施例２の血圧計１Ｂの側面図、図２（ｂ）は（ａ）の要部右側面図であり、実施例１と同一構成・作用の箇所は同一番号を付して詳細な説明は省略する。
【００３６】
上記各回動部２ａ，２ｂの中心に挿通される回動軸３は、上アーム部２Ａの回動部２ａに固定されて、下アーム部２Ｂの回動部１ｂとは回動可能としている。
【００３７】
上記上アーム部２Ａの左右の回動部２ａの間に空間１０が形成されて、この空間１０内で上記回動軸３にラチェット状歯車１１が固定されている。なお、この空間１０は、回動部２ａの外周の沿ったカバー１３で目隠しすることが好ましい。
【００３８】
上記下アーム部２Ｂに左右一対のブラケット部２ｃが設けられ、このブラケット部２ｃの間に、ラチェット爪１２ａを有する逆回動防止レバー（逆回動防止手段）１２が支軸９で回動可能に取付けられて、この逆回動防止レバー１２は、ラチェット爪１２ａがラチェット状歯車１１の１つの歯に係合するようになる。上記左右のブラケット２ｃに橋架されたプレート２ｅと逆回動防止レバー１２の凹部１２ｂとの間には、逆回動防止レバー１２を係合方向に付勢するスプリング１４が縮装されている。
【００３９】
上記ラチェット状歯車１１の歯の向きは、上アーム部２Ａの開き回動方向にはラチェット爪１２ａに食い込み勝手で、閉じ回動方向にはラチェット爪１２ａに逃げ勝手となるように形成されている。
【００４０】
実施例２の血圧計１Ｂを使用する際には、先ず、逆回動防止レバー７を二点鎖線で示すように指等で回動させてラチェット爪１２ａをラチェット状歯車１１から外した状態で、上アーム部２Ａを開き操作する。
【００４１】
そして、逆回動防止レバー１２から指等を離すと、逆回動防止レバー１２のラチェット爪１２ａがスプリング１４の付勢力でラチェット状歯車１１の１つの歯に係合するようになる。
【００４２】
その後、開いた一対のアーム２Ａ，２Ｂの間に手首等（被測定部位）を入れて、上アーム部２Ａを閉じ操作して行く。このとき、逆回動防止レバー１２のラチェット爪１２ａは、上アーム部２Ａとともに回動するラチェット状歯車１１に対して逃げ勝手になるから、上アーム部２Ａの閉じ操作に支障は生じ無い。
【００４３】
この上アーム部２Ａは、下アーム部２Ｂとの間に手首等が適度な圧力で挟み込まれるようになるまで閉じ操作をする。
【００４４】
この閉じ操作をやめて、手首等を動かしたとしても、ラチェット状歯車１１に係合した逆回動防止レバー１２のラチェット爪１２ａは、上アーム部２Ａの開き方向の動きとともに回動しようとするラチェット状歯車１１に対して食い込み勝手になるから、上アーム部２Ａが開き方向に回動しなくなる。つまり上アーム部２Ａの開き方向の回動が防止される（逆回動防止）。
【００４５】
また、空気袋４に空気が入って手首等が圧迫される測定中に、この圧迫力で上アーム部２Ａが開き方向に回動されようとするが、同様に、逆回動防止レバー７によって上アーム部２Ａの開き方向の回動が防止される。
【００４６】
そして、測定終了後に逆回動防止レバー１２を二点鎖線で示すように指等で回動させて、ラチェット爪１２ａをラチェット状歯車１１から外せば、上アーム部２Ａを開き操作できるから、開いた一対のアーム２Ａ，２Ｂの間から手首等を抜き出すことができる。
【００４７】
このように、実施例１と同様に、巻きづれが生じることなく、装着性が向上するという効果を奏することができるとともに、逆回動防止手段として、ワンウェイクラッチ機能を有するラチェット機構（１１，１２等）で構成したから、簡単かつ安価な機構で確実に逆回動を防止できる。
【実施例３】
【００４８】
図３は実施例３の血圧計１Ｃの側面図であり、実施例１または２と同一構成・作用の箇所は同一番号を付して詳細な説明は省略する。
【００４９】
上記回動軸３にワイヤースプリング（回動付勢手段）１５の中心部を巻装して、開き方向に付勢力が生じるように設定された一端部１５ａを上アーム部２Ａに係止するとともに、他端部１５ｂを下アーム部２Ｂに係止したものである。
【００５０】
実施例３の血圧計１Ｃであれば、上アーム部２Ａを閉じ操作して行くときにワイヤースプリング１５が蓄勢されるとともに、測定終了後に逆回動防止レバー１２のラチェット爪１２ａをラチェット状歯車１１から外せば、上アーム部２Ａがワイヤースプリング１５の付勢力で自動的に開き回動するようになる。
【００５１】
このように、実施例１、２と同様の効果を奏することができるとともに、上アーム部２Ａが自動的に開き回動するから、脱着性も向上するようになる。
【実施例４】
【００５２】
図４は実施例４の血圧計１Ｄの側面図であり、実施例１または２と同一構成・作用の箇所は同一番号を付して詳細な説明は省略する。
【００５３】
上記上下一対のアーム２Ａ，２Ｂの内面に板ばね１６を取付けて、この板ばね１６の内面に空気袋４を取付けたものである。
【００５４】
実施例４の血圧計１Ｄであれば、板ばね１６で補強されて一対のアーム２Ａ，２Ｂの剛性が高くなり、空気袋４の内圧が高くなっても一対のアーム２Ａ，２Ｂが変形しにくくなるから、振動情報の検出精度が低下することを防ぐことができる。
【実施例５】
【００５５】
図５は実施例５の血圧計１Ｅの側面図であり、実施例１または２と同一構成・作用の箇所は同一番号を付して詳細な説明は省略する。
【００５６】
上記空気袋４は、一対のアーム２Ａ，２Ｂの内面全体に取付けるのではなく、被測定部位が手首Ｍである場合、この手首Ｍの腱Ｍ１の左右位置にあるとう骨動脈Ｍ２と尺骨動脈Ｍ３のいずれか一方側、本例では尺骨動脈Ｍ３側の手首Ｍ部分の略半周を覆うように取付けたものである。
【００５７】
実施例４の血圧計１Ｅであれば、手首Ｍの腱Ｍ１の左右位置にある主要な２つの動脈Ｍ２，Ｍ３のうち、腱Ｍ１を避けて一方の動脈Ｍ２またはＭ３のみを確実に捉えることができるため、振動情報の検出精度が向上するようになる。
【実施例６】
【００５８】
図６は実施例６の血圧計１Ｆの側面図であり、実施例１または２と同一構成・作用の箇所は同一番号を付して詳細な説明は省略する。
【００５９】
一対のアーム２Ａ，２Ｂの回動部２ａ，２ｂの被測定部位側に、空気袋４を被測定部位方向に押し出す押し出し用空気袋（押し出し手段）１７を設けたものである。この押し出し用空気袋１７には、上記連通管６からの分岐管６ａを接続する。
【００６０】
実施例６の血圧計１Ｆであれば、押し出し用空気袋１７が回動部２ａ，２ｂの内側と被測定部位との間の隙間を埋めて、空気袋４を被測定部位方向に押し出すために、被測定部位の振動情報をより正確に捉えることができるため、振動情報の検出精度がより向上するようになる。
【実施例７】
【００６１】
図７は実施例７の血圧計１Ｇの平面図であり、実施例１または２と同一構成・作用の箇所は同一番号を付して詳細な説明は省略する。
【００６２】
上記下アーム部２Ｂの回動部２ｂの上周面に目盛り１８ａを印刷するとともに、上アーム部２Ａの回動部２ａの上周面に、上記目盛り１８ａを指示する矢印１８ｂを印刷したものである。
【００６３】
実施例７の血圧計１Ｇであれば、上アーム部２Ａをどこまで閉じ操作するかの基準となる回動割合を測定者自身が予め決めて、その目盛り１８ａの位置を覚えておき、次からは、覚えた目盛り１８ａの位置に矢印１８ｂが合うように上アーム部２Ａを閉じ操作すれば、測定者が何回測定しても同じ回動割合で血圧計１Ｇを装着できるから、装着のばらつきを防ぐことができる。
【実施例８】
【００６４】
図８は血圧計１Ａ〜１Ｇの制御フローチャートであり、上記各実施例１〜７において、上記一対のアーム２Ａ，２Ｂが所定の回動割合になったときに、血圧の測定を開始するように設定することができる。
【００６５】
具体的には、上記一対のアーム２Ａ，２Ｂの内面に、閉じ方向の回動割合を測定する回動割合測定手段（圧力センサーやリミットスイッチ）１９を設けたものである。
【００６６】
そして、ステップＳ１で上アーム部２Ａを閉じ操作して手首等Ｍに装着すると、ステップＳ２で、手首等Ｍで押された空気袋４を介して回動割合測定手段１９が圧力や距離を検出し、ステップＳ３で、この圧力や距離から回動割合を測定値として、一定の許容差以内であれば、血圧の測定に適した装着状態であるとして、ステップＳ４で血圧の測定を開始する。
【００６７】
また、ステップＳ３で、一定の許容差以外であれば、血圧の測定に適さない装着状態であるとして（測定値が大きすぎる場合や小さすぎる場合は、装着が緩い若しくは装着がきつすぎる）、血圧の測定を開始しないで、ステップＳ５で警告手段２０によりサインランプを点灯する等して、再装着することを促すようになる。
【００６８】
実施例８であれば、一対のアーム２Ａ，２Ｂが所定の回動割合になったときに血圧の測定を開始するから、一対のアーム２Ａ，２Ｂの装着状態を一定に維持できるので、装着のばらつきが抑制されて、振動情報の検出精度が向上するようになる。また、使用者は、開始スイッチ等を押して測定を開始するのではなく、一対のアーム２Ａ，２Ｂを装着するだけで測定を開始できるので便利になる。
【００６９】
さらに、上記空気袋４に予め所定量の空気を入れて、この空気袋４の内圧が所定圧に達したことを上記回動割合測定手段１９で検出したときが測定に適した装着状態と判断して、血圧の測定を開始するようにすれば、適正な装着状態を確実に捉えることができるようになる。また、空気袋４に予め所定量の空気を入れるだけであるから、新たな装置を追加する必要が無いので、安価である。
【図面の簡単な説明】
【００７０】
【図１】実施例１の血圧計であり、（ａ）は側面図、（ｂ）は（ａ）の平面図である。
【図２】実施例２の血圧計であり、（ａ）は側面図、（ｂ）は（ａ）の要部右側面図である。
【図３】実施例３の血圧計の側面図である。
【図４】実施例４の血圧計の側面図である。
【図５】実施例５の血圧計の側面図である。
【図６】実施例６の血圧計の側面図である。
【図７】実施例７の血圧計の側面図である。
【図８】実施例８の血圧計の制御フローチャートである。
【符号の説明】
【００７１】
１Ａ〜１Ｇ  血圧計
２Ａ  上アーム部
２Ｂ  下アーム部
２ａ，２ｂ  回動部
３    回動軸
４    空気袋（圧迫手段）
５    血圧計本体（検出手段）
７    逆回動防止レバー（逆回動防止手段）
１１  ラチェット状歯車（逆回動防止手段）
１２  逆回動防止レバー（逆回動防止手段）
１５  ワイヤースプリング（回動付勢手段）
１７  押し出し用空気袋（押し出し手段）
１９  回動割合測定手段
Ｏ    開き位置
Ｃ    閉じ位置
Ｍ    手首等（被測定部位）
Ｍ１  腱
Ｍ２，Ｍ３  動脈
【図１】
2005040498.tif 000003
【図２】
2005040498.tif 000004
【図３】
2005040498.tif 000005
【図４】
2005040498.tif 000006
【図５】
2005040498.tif 000007
【図６】
2005040498.tif 000008
【図７】
2005040498.tif 000009
【図８】
2005040498.tif 000010